(57)【特許請求の範囲】
【請求項１】
遊技盤に設けられた遊技球が流下する遊技領域に、発光による演出を行う照明手段が配設された遊技機において、
前記遊技盤に前後に開口する開口部が形成されると共に、
前記照明手段は、
前記遊技盤の開口部に配設され、点灯または消灯がなされる発光体と、
前記遊技盤の盤面に配設されて前記発光体よりも前側に位置すると共に、該遊技盤の開口部を覆う第１のレンズ部と、
前記第１のレンズ部の前方に位置するよう設けられた第２のレンズ部と、
前記第１のレンズ部および第２のレンズ部の夫々に設けられ、前記発光体の光から照射される光を拡散する光拡散部と、
前記第２のレンズ部を前記第１のレンズ部に対して遊技球の直径よりも大きい間隔を隔てて接続すると共に、当該第１のレンズ部および第２のレンズ部の間を流下する遊技球を入賞口側へ誘導し得るよう形成された接続部と、
前記第１のレンズ部および第２のレンズ部の間に遊技球を誘導する誘導部とを備え、
前記第２のレンズ部は、前記第１のレンズ部に対して前後方向に部分的に重なるよう構成され、
前記第１のレンズ部と第２のレンズ部が前後に重なった領域の後方に、両レンズ部が前後に重なる領域および両レンズ部が前後に重ならない領域に対して光を照射し得るよう前記発光体が設置された
ことを特徴とする遊技機。
【請求項２】
前記第１のレンズ部および第２のレンズ部は、前記遊技盤の盤面に沿って延在する平板状に形成されて、前記第１のレンズ部の光拡散部は、該第１のレンズ部の前面および後面に設けられると共に、該第２のレンズ部の光拡散部は、当該第２のレンズ部における前面および後面の何れか片面に設けられた請求項１記載の遊技機。
【請求項３】
前記第１のレンズ部は、前面に形成される光拡散部および後面に形成される光拡散部の形態が異なるよう構成された請求項２記載の遊技機。
【発明の詳細な説明】
【技術分野】
【０００１】
この発明は、遊技盤に形成された遊技領域内で遊技球を流下させて遊技が行われるよう構成された遊技機に関するものである。
【背景技術】
【０００２】
代表的な遊技機であるパチンコ機は、遊技盤の盤面に画成した遊技領域の略中央位置に枠状に形成された枠状装飾体(所謂センター役物)が配設されており、この枠状装飾体の開口部を介して複数の図柄を変動表示して図柄変動演出を行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。また、前述したパチンコ機では、遊技盤の遊技領域内に照明装置が配設されており、照明装置を発光させることで遊技盤を装飾したり、前記図柄表示装置で行われる演出に合わせて照明装置を発光させて演出効果を高めることが行なわれている(例えば、特許文献１,２参照)。
【先行技術文献】
【特許文献】
【０００３】
【特許文献１】特開平６−２３０９７号公報
【特許文献２】特開２０００−３５４６５３号公報
【発明の概要】
【発明が解決しようとする課題】
【０００４】
ところで、近年は、遊技盤の大型化が進んでおり、また図柄表示装置で行われる遊技演出の内容も複雑化していることから、照明装置の発光による装飾効果や演出効果を向上することがより一層強く求められている。そこで、照明装置において遊技領域に露出する前面レンズ部材を大きくしたり厚みを持たせれば、照明装置の発光による装飾効果や演出効果の向上が期待できる。しかしながら、特許文献１のように、前記遊技盤に配設された照明装置の前面レンズ部材を、遊技盤の盤面より前側に突出させて設ける構成にあっては、前記前面レンズ部材を大きくすると、遊技盤に遊技釘を設けられるスペースが反対に減少してしまい、遊技領域を流下するパチンコ球の流れが単調になってパチンコ球の動きの面白みが損なわれることに繋がりかねない。また、遊技盤の前側には、遊技盤を透視保護するガラス板等が設置されており、前面レンズ部材の厚みを持たせるにも限界がある。また、特許文献２のように、遊技盤に開設した開口部に照明装置を埋め込む構成にあっては、前面レンズ部材を大きくしようとすれば、遊技盤に大きな開口部を開設する必要があり、前述と同様に遊技釘の設置スペースが限られてしまう問題が生ずる。また、前面レンズ部材の厚みを持たせるようにすると、厚みを持たせた分だけ遊技盤の盤面(前面)から前面レンズ部材が突出してしまい、遊技領域を流下するパチンコ球が接触して損傷することにも繋がりかねない。この場合には、前面レンズ部材(開口部)の周囲に遊技釘を設けることでパチンコ球の接触を防止し得るものの、遊技釘によりパチンコ球の流路が限られてしまい、遊技領域を流下するパチンコ球の流れが単調になる欠点がある。
【０００５】
すなわち本発明は、従来の技術に内在する前記課題に鑑み、これを好適に解決するべく提案されたものであって、遊技球の流路を確保しつつ発光による装飾効果を向上可能な照明手段を備えた遊技機を提供することを目的とする。
【課題を解決するための手段】
【０００６】
前記課題を解決し、所期の目的を達成するため、本発明の請求項１に係る発明は、
遊技盤(21)に設けられた遊技球が流下する遊技領域(21a)に、発光による演出を行う照明手段(60,110a)が配設された遊技機において、
前記遊技盤(21)に前後に開口する開口部(23e)が形成されると共に、
前記照明手段(60,110a)は、
前記遊技盤(21)の開口部(23e)に配設され、点灯または消灯がなされる発光体(110a)と、
前記遊技盤(21)の盤面に配設されて前記発光体(110a)よりも前側に位置すると共に、該遊技盤(21)の開口部(23e)を覆う第１のレンズ部(61)と、
前記第１のレンズ部(61)の前方に位置するよう設けられた第２のレンズ部(71)と、
前記第１のレンズ部(61)および第２のレンズ部(71)の夫々に設けられ、前記発光体(110a)の光から照射される光を拡散する光拡散部(62,66,73)と、
前記第２のレンズ部(71)を前記第１のレンズ部(61)に対して遊技球の直径よりも大きい間隔を隔てて接続すると共に、当該第１のレンズ部(61)および第２のレンズ部(71)の間を流下する遊技球を入賞口(30a)側へ誘導し得るよう形成された接続部(75)と、
前記第１のレンズ部(61)および第２のレンズ部(71)の間に遊技球を誘導する誘導部(77)とをえ、
前記第２のレンズ部(71)は、前記第１のレンズ部(61)に対して前後方向に部分的に重なるよう構成され、
前記第１のレンズ部(61)と第２のレンズ部(71)が前後に重なった領域の後方に、両レンズ部(61,71)が前後に重なる領域および両レンズ部(61,71)が前後に重ならない領域に対して光を照射し得るよう前記発光体(110a)が設置されたことを要旨とする。
このように、第１のレンズ部と第２のレンズ部との間に、遊技球の直径よりも大きな空間を確保することで、両レンズ部の間を遊技球が通過できるから、遊技球の流路が制限されることなく遊技球の動きによる演出が可能となる。第１のレンズ部および第２のレンズ部を前後に重なるように設けて、発光体の光が両レンズ部を透過し得るよう構成することにより、発光による装飾効果や演出効果の向上を図り得る。また、第１のレンズ部よりも第２のレンズ部が前後に重なる領域および両レンズ部が前後に重ならない領域に対して発光体の光が照射されるようにしたことで、光の照射位置により発光の態様が異なるように見せることができ、装飾効果や演出効果をより一層高めることができる。
【０００７】
請求項２に係る発明は、
前記第１のレンズ部(61)および第２のレンズ部(71)は、前記遊技盤(21)の盤面に沿って延在する平板状に形成されて、前記第１のレンズ部(61)の光拡散部(62,66)は、該第１のレンズ部(61)の前面および後面に設けられると共に、該第２のレンズ部(71)の光拡散部(73)は、当該第２のレンズ部(71)における前面および後面の何れか片面に設けられたことを要旨とする。
このように、第１のレンズ部と第２のレンズ部に設ける光拡散部を異ならせることで、両レンズ部が前後に重なる領域と、両レンズ部が前後に重ならない領域での発光態様をより一層異ならせることができる。このとき、第１のレンズ部の前後両面に光拡散部を形成することで、当該第１のレンズ部だけを透過した光でも効果的な装飾や演出を行うことが可能となる。
【０００８】
請求項３に係る発明は、
前記第１のレンズ部(61)は、前面に形成される光拡散部(62)および後面に形成される光拡散部(66)の形態が異なるよう構成されたことを要旨とする。
このように、第１のレンズ部の前後両面に形成される光拡散部の形態を変えることで、第１のレンズ部での光の拡散作用を高めることができ、装飾効果や演出効果の向上を図り得る。
【発明の効果】
【０００９】
本発明に係る遊技機によれば、照明手段の発光による装飾効果を高めることができる。
【図面の簡単な説明】
【００１０】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略して示す。
【図３】実施例に係る遊技盤を示す正面図である。
【図４】実施例に係る遊技盤と設置部材とを分解した状態を示し、遊技盤を背面図で示すと共に、球排出経路部材が取り付けられた設置部材を正面図で示す。
【図５】実施例に係る遊技盤と設置部材とを分解した部分拡大斜視図である。
【図６】(a)は、実施例に係る遊技盤におけるレンズ部材の配設位置を拡大して示す分解斜視図であり、(b)は、レンズ部材を背面から見た状態で示す分解斜視図である。
【図７】(a)は、実施例に係るレンズ部材を正面から示す斜視図であり、(b)は、レンズ部材を背面から示す斜視図であり、(c)は、レンズ部材の平面図である。
【図８】(a)は、第１のレンズ部と第２のレンズ部とを分解した状態を、第１のレンズ部を正面図で示すと共に第２のレンズ部を背面図で示し、(b)は、レンズ部材の右側面図であり、(c)は、(b)のＡ−Ａ線断面図である。
【図９】遊技盤の第５装着口と、レンズ部材との関係を示す説明図である。
【図１０】遊技盤におけるレンズ部材の配設位置を拡大して示す説明図であって、第２のレンズ部の外周から延出する第１のレンズ部を斜線で示す。
【図１１】遊技盤をレンズ部材の配設位置で縦断した拡大断面図である。
【図１２】(a)は、遊技盤をレンズ部材の配設位置で横断した拡大断面図であり、(b)は、(a)におけるレンズ部材の断面図である。
【図１３】(a)は，球排出経路部材を前側下方から示す斜視図であり、(b)は、球排出経路部材を背面上方から示す斜視図である。
【図１４】球排出経路部材の分解斜視図である。
【図１５】球排出経路部材と上下の発光基板を分解した状態で示す斜視図である。
【図１６】(a)は、実施例に係る設置部材を球排出経路部材の排出球検出センサ取付部の配置位置で拡大して示す背面図であり、(b)は、設置部材における排出球検出センサ取付部を下画壁部側から示す斜視図であり、(c)は、設置部材における排出球検出センサ取付部を下画壁部側から示す拡大図である。
【図１７】実施例に係る設置部材を球排出経路部材の排出球検出センサ取付部の配置位置で縦断して示す断面図である。
【発明を実施するための形態】
【００１１】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１２】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２１を着脱可能に保持する本体枠としての中枠１２が開閉および着脱可能に組み付けられて、該遊技盤２１の裏側に、各種図柄を変動表示可能な演出実行手段としての図柄表示装置１８が着脱可能に配設されている。また、前記中枠１２の前面側には、前記遊技盤２１を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１３】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２１に向けて発射されるようになっている。
【００１４】
(外枠１１について)
前記外枠１１は、上下左右の４つの枠部材を相互に組み付けることで縦長の矩形枠体として構成されるものであって、４つの枠部材で画成される開口領域に対し、前記中枠１２が開閉および着脱自在に支持されて、外枠１１に対して中枠１２を閉成することで、該外枠１１の内側に中枠１２が収容されるよう構成される。
【００１５】
(中枠１２について)
図２に示すように、前記中枠１２は、上縁をなす上枠部１２ａと、下縁をなし、打球発射装置１６、各種制御装置(図示せず)を設置する設置部として機能する下枠部１２ｂと、左縁(一方の側縁)をなす左枠部１２ｃと、右縁(他方の側縁)をなす右枠部１２ｄとから構成されて、これら上下左右の枠部１２ａ,１２ｂ,１２ｃ,１２ｄを組み付けた際に、全体が外枠１１の開口領域に整合する大きさに形成される。そして、外枠１１に対して中枠１２の左枠部１２ｃ側が、ヒンジ機構１９を介して回動自在に支持されて、右枠部１２ｄが施錠装置(図示せず)により施錠されるようになっている。また、中枠１２には、上下左右の枠部１２ａ,１２ｂ,１２ｃ,１２ｄを組み付けることで前後に開口する遊技盤保持部２０が画成され、該遊技盤保持部２０に遊技盤２１が着脱自在にセット保持される。図２において、遊技盤２１の前面に配設されている各種の遊技部品は、後述する案内レール２２を除いて図示省略してある。また、図２において、前枠１３に配設されている透視保護板１３ｂも図示省略している。なお、中枠１２における上下左右の各枠部１２ａ,１２ｂ,１２ｃ,１２ｄの全体或いは一部の枠部を一体成形して中枠１２を形成することも可能である。
【００１６】
(遊技盤２１について)
前記遊技盤２１は、図２〜図３に示すように、前記中枠１２の遊技盤保持部２０に整合する略正方形に形成された所定板厚の木材板の表面に、各種絵柄等が描かれた合成樹脂シート(図示せず)等を貼付けて装飾した板部材であって、該遊技盤２１の表面(盤面)に配設された略円形状に湾曲した案内レール２２により、パチンコ球が流下可能な遊技領域２１ａが画成されている。また、前記遊技盤２１の裏側には、図４に示す如く、前記図柄表示装置１８が着脱自在に取り付けられる設置部材８１が配設されており、該設置部材８１に形成された前後に開口する表示開口部８２ａを介して図柄表示装置１８の表示部を前側から視認し得るよう構成される。
【００１７】
また、前記遊技盤２１には、ルーター加工等の孔空け加工により前後に貫通する複数(実施例では５つ)の装着口２３ａ〜２３ｅが開設されて、各装着口２３ａ〜２３ｅに対して各種の遊技盤設置部品(具体的には後述する枠状装飾体４０、始動入賞装置３０、特別入賞装置３５、普通入賞装置５０、レンズ部材６０等)が前側から取り付けられると共に、遊技領域２１ａの最下部位置には、該遊技領域２１ａに打ち出されたパチンコ球を排出するアウト口２４が開設されている。なお、前記装着口２３ａ〜２３ｅの形成数は、遊技盤２１に取り付けられる各種遊技盤設置部品の個数や配設位置等により必要に応じて適宜変更される。
【００１８】
ここで、実施例の前記遊技盤２１には、図３に示すように、前記案内レール２２で囲まれた遊技領域２１ａの略中央の大部分が開口する第１装着口２３ａに、前後に開口する表示窓口４０ａが形成された枠状装飾体４０が取り付けられ、該枠状装飾体４０の表示窓口４０ａを介して図柄表示装置１８の表示面が遊技盤２１の前面側に臨むよう構成されている。なお、実施例では、遊技盤２１に配設された枠状装飾体４０の表示窓口４０ａが、図柄表示装置１８の表示部を前側から視認可能とする可視部となる。また、前記遊技盤２１における枠状装飾体４０(第１装着口２３ａ)の下方位置には、遊技領域２１ａの左右幅方向の略中央に第２装着口２３ｂが開設されており、該第２装着口２３ｂに、遊技領域２１ａを流下するパチンコ球が入賞可能な第１始動入賞口３０ａを有する始動入賞装置３０が取り付けられている。なお、実施例のパチンコ機１０では、前記枠状装飾体４０における特別入賞装置３５の上方に位置に、遊技領域２１ａを流下するパチンコ球が入賞可能な第２始動入賞口３２ａを有する第２始動入賞装置３２が配設されている。
【００１９】
そして、前記遊技盤２１における始動入賞装置３０(第２装着口２３ｂ)の右側方に第３装着口２３ｃが開設されて、遊技領域２１ａを流下するパチンコ球が入賞可能な特別入賞口３６を有する特別入賞装置３５が取り付けられている。また、前記遊技盤２１における始動入賞装置３０(第２装着口２３ｂ)の左側方に第４装着口２３ｄが開設されて、遊技領域２１ａを流下するパチンコ球が入賞可能な普通入賞口５３を有する普通入賞装置５０が取り付けられている。更に、前記遊技盤２１における枠状装飾体４０(第１装着口２３ａ)の左側方に第５装着口２３ｅが開設されて、該遊技盤２１の盤面を発光装飾する照明手段を構成するレンズ部材６０が取り付けられている。すなわち、実施例のレンズ部材６０は、前記始動入賞装置３０へ向けて流下可能なパチンコ球の流下経路途中に配設されて、発光により発光装飾しつつ、流下するパチンコ球に対する関心を惹き付けるようになっている。なお、前記第５装着口２３ｅは、上下方向に縦長となるよう形成されている。
【００２０】
(第１始動入賞装置および第２始動入賞装置３０について)
前記第１始動入賞装置３０は、第１始動入賞口３０ａが常に上方に開口するよう設けられており、遊技盤２１の遊技領域２１ａを流下するパチンコ球が入賞可能な常時開放型の入賞装置とされている。一方、前記第２始動入賞装置３２は、前記枠状装飾体４０の右下部に右側方へ開口するよう設けられた第２始動入賞口３２ａと、該第２始動入賞口３２ａを開閉する開閉部材３２ｂとを備えており、駆動手段としての図示しないソレノイドの駆動に伴って開閉部材３２ｂが揺動変位することで、第２始動入賞口３２ａが開閉するよう構成される。また、前記第１および第２始動入賞装置３０,３２は、対応する始動入賞口３０ａ,３２ａに入賞したパチンコ球を検出する図示しない始動入賞球検出センサを備えており、各始動入賞球検出センサから制御装置への入賞検出信号の入力に伴って所定数の賞球が払い出されると共に、該制御装置において大当り抽選が行われて、該大当り抽選の結果に基づいて前記図柄表示装置１８の図柄変動演出が実行されるようになっている。そして、前記図柄表示装置１８での図柄変動演出の結果、該図柄表示装置１８に所定の組み合わせ(例えば同一図柄の３つ揃い等)で演出図柄が停止表示されることで所謂大当りが発生し、大当りの発生に伴って前記特別入賞装置３５を所定の開放条件で開放して多数の賞球を獲得し得る機会が与えられるよう構成されている。なお、前記始動入賞球検出センサは、始動入賞口３０ａ,３２ａ毎に設けて入賞球を個別に検出してもよいし、各始動入賞口３０ａ,３２ａに入賞したパチンコ球を１つのセンサで検出するよう構成してもよい。
【００２１】
(特別入賞装置３５について)
前記特別入賞装置３５は、図３に示すように、遊技領域２１ａに開口する特別入賞口３６を開閉自在に閉成する開閉扉３７を備えており、駆動手段としての図示しない第２ソレノイドの駆動に伴って開閉扉３７が作動することで特別入賞口３６が開閉するよう構成されている。また、前記特別入賞装置３５は、前記特別入賞口３６に入賞したパチンコ球を検出する図示しない特別入賞球検出センサを備えており，該特別入賞球検出センサから制御装置への入賞検出信号の入力に伴って所定数の賞球が払い出されるようになっている。
【００２２】
(普通入賞装置５０について)
前記普通入賞装置５０は、図４、図５に示すように、前記遊技盤２１の前面に取着されて前記第４装着口２３ｄを覆う薄板状の取着部材５１と、該取着部材５１に設けられて第４装着口２３ｄを介して遊技盤２１の後方へ延在する複数(実施例では３つ)の球受け通路５２とを備えている。前記球受け通路５２の夫々は、前記取着部材５１の前後に貫通するよう延在すると共に、該取着部材５１の前後において上方に開口する樋形状に形成されており、各球受け通路５２における取着部材５１(遊技盤２１の前面)から前方へ突出した突出部分の上方開口部が、前記遊技領域２１ａを流下するパチンコ球が入賞可能な前記普通入賞口５３として機能している。そして、前記各球受け通路５２の後端部は、前記設置部材８１に設けられた球排出経路部材９０(後述)に連通接続するよう構成されており、各普通入賞口５３に入賞したパチンコ球を対応の球受け通路５２を介して球排出経路部材９０に誘導して遊技盤２１の外部に排出するよう構成されている。なお、前記球受け通路５２の前端部には、装飾飾り部５２ａが取付けられている。ここで、前記取着部材５１および装飾飾り部５２ａの夫々は、光透過性を有する部材により形成されており、後述する球排出経路部９１に設けられたＬＥＤ１１２ａから取着部材５１および装飾飾り部５２ａへ照射された光が遊技盤２１の前方へ照射されて、遊技盤２１を装飾するようになっている。また，前記普通入賞装置５０の上部には、光透過性の装飾飾り部５４が設けられており、後述する基板支持部１０５には移設された下部発光基板１１１のＬＥＤ１１２ａからの光を透過して遊技盤２１を装飾するよう構成されている。
【００２３】
また、図３に示すように、前記遊技盤２１には、前記遊技領域２１ａ内に多数の遊技釘２６が設けられており、遊技釘２６との接触によりパチンコ球の流下方向が不規則に変化するよう構成されている。また、前記枠状装飾体４０の左側方には、遊技領域２１ａを流下するパチンコ球の接触に伴って回転する回転案内部材２７が回転自在に支持されている。前記回転案内部材２７は、所謂「風車」とも称される部材であって、遊技領域２１ａを流下するパチンコ球が接触することで前記回転案内部材２７が左右方向に回転されて、パチンコ球が回転案内部材２７の回転方向に弾くよう放出されるようになっている。
【００２４】
また、前記遊技盤２１には、図３に示すように、前記第１始動入賞装置３０の第１始動入賞口３０ａと前記回転案内部材２７との間に、前記遊技釘２６が直線状に連続して設けられている。ここで、以下の説明では、前記第１始動入賞装置３０および回転案内部材２７の間に直線状に連続する遊技釘群を案内連釘２６Ａと指称する場合がある。すなわち、前記回転案内部材２７の回転に伴って右方向(始動入賞装置３０側)に放出されることで、前記案内連釘２６Ａ上にパチンコ球が移動するようになっている。前記案内連釘２６Ａは、前記第１始動入賞装置３０の始動入賞口３０ａに向けて下方傾斜するよう配置されており、前記回転案内部材２７から放出されたパチンコ球を第１始動入賞装置３０の第１始動入賞口３０ａへ案内するよう構成される。すなわち、前記案内連釘２６Ａは、前記回転案内部材２７の回転により放出されたパチンコ球を第１始動入賞装置３０へ案内する案内部として機能している。なお、前記案内連釘２６Ａを構成する遊技釘２６は、適宜位置(実施例では２箇所)でパチンコ球が通過可能な隙間が空くよう設けられており、該案内連釘２６Ａ上を移動するパチンコ球が落下し得るようになっている。
【００２５】
(レンズ部材６０について)
前記レンズ部材６０は、図５〜図１２に示すように、前記遊技盤２１に開設された前記第５装着口２３ｅを覆う第１のレンズ部６１と、該第１のレンズ部６１の前方に離間して位置するよう配置された第２のレンズ部７１とを備え、当該第１のレンズ部６１および第２のレンズ部７１の夫々に、光を拡散する光拡散部６２,６６,７３が設けられている。また、前記遊技盤２１の裏側には、前記第５装着口２３ｅと対応する位置に、前記第１のレンズ部６１と対向するよう上部発光基板(発光基板)１１０が配設されると共に、該上部発光基板１１０の前面に前方へ光を照射する照明手段としてのＬＥＤ(発光体)１１０ａが実装されており、該ＬＥＤ１１０ａを発光した際の光がレンズ部材６０(第１のレンズ部６１および第２のレンズ部７１)を透過して遊技盤２１の前方へ照射されるようになっている。
【００２６】
(第１のレンズ部について)
前記第１のレンズ部６１は、図６、図７に示すように、光透過性を有する部材により遊技盤２１の盤面に沿って延在すると共に前記第５装着口２３ｅの開口より大きな平板状に形成されており、該第５装着口２３ｅの全体が第１のレンズ部６１で塞がれるよう遊技盤２１の前面からねじ止めされている。また、前記第１のレンズ部６１には、前面側の外周部に、外周縁部に向かうにつれて遊技盤２１側に傾斜する第１傾斜部６１ａが形成されており、遊技盤２１の盤面に沿って流下するパチンコ球を、第１のレンズ部６１の前面に流下し得るよう構成されている。なお、前記第１のレンズ部６１における上下の端部には、前記遊技盤２１と対向する位置に、前後に貫通するネジ挿通孔６１ｂが形成されると共に、後方へ突出する位置決め突部６１ｃが形成されており、遊技盤２１に形成された位置決め孔(図示せず)に位置決め突部６１ｃを前側から挿入した状態で、ネジ挿通孔６１ｂに挿通したネジを遊技盤２１に螺挿することで、第５装着口２３ｅを塞ぐように遊技盤２１に固定されている。
【００２７】
ここで、前記第１のレンズ部６１の前面には、図６〜図８に示すように、前記光拡散部としての第１光拡散部６２と、前記第２のレンズ部７１が固定される設置面６３とが形成されている。前記第１光拡散部６２は、前記第１のレンズ部６１の前面において前記設置面６３を除く略全面に設けられており、前後に緩やかに起伏する起伏状に形成されている。すなわち、前後に緩やかに起伏する第１光拡散部６２を光が透過することで、該第１光拡散部６２を透過する光が拡散されるようになっている。また、前記第１光拡散部６２の起伏は、第１のレンズ部６１の前面側(第１光拡散部６２側)を通過するパチンコ球の動きに対して影響しない程度の緩やかな形態に形成されている。前記設置面６３は、前記第２のレンズ部７１に設けられた接続部７５(後述)の後端面に整合する形状に形成された平滑面であって、該接続部７５の後端面を設置面６３に当接させた状態で、第２のレンズ部７１が安定して支持されるようになっている。また、前記設置面６３は、前記第１のレンズ部６１における左側部に、第５装着口２３ｅの開口内側に位置するよう上下方向に所定長さ延在するよう形成されている。
【００２８】
また、前記第１のレンズ部６１の後面には、図６に示すように、前記光拡散部としての第２光拡散部６６と、光を拡散しない透過面６７とが形成されている。前記第２光拡散部６６は、前記第１のレンズ部６１の後面において前記透過面６７を除く略全面に設けられており、前後に緩やかに起伏する起伏状に形成されると共に、該起伏に伴う凹状部分よりも深い複数の溝部６６ａが形成されている。また、前記第２光拡散部６６の起伏形状は、前記第１光拡散部６２の起伏よりも大きな起伏をなすよう形成されており、該第２光拡散部６６を透過する光の拡散効果を、第１光拡散部６２を透過する光の拡散効果よりも高くなるよう構成されている。また、前記第２光拡散部６６を構成する複数の溝部６６ａは、適宜に蛇行する蛇行形状に夫々形成されており、これらの溝部６６ａに照射される光を複雑に広範囲に拡散し得るよう構成されている。すなわち、パチンコ球が接触しない第１のレンズ部６１の後面に、光の拡散効果の高い第２光拡散部６６を形成することで、第１のレンズ部６１の前面を通過するパチンコ球に対して影響を与えるのを避けつつ、第１のレンズ部６１を透過する光の光拡散効果を向上させている。このように、前記第１のレンズ部６１は、前面に形成される第１光拡散部６２および後面に形成される第２光拡散部６６の形態が異なるよう構成されている。
【００２９】
前記第１のレンズ部６１の後面に形成される透過面６７は、図１２に示すように、前面側に形成された前記設置面６３と前後に対応する位置に形成された平滑面であって、該第１のレンズ部６１の側縁部(実施例では左側縁部)に沿って上下方向に所定長さ延在するよう形成されている。また、前記透過面６７は、前記第５装着口２３ｅの開口内側に臨むよう形成されており、該第５装着口２３ｅの開口内側に臨む前記ＬＥＤの光が透過面６７に入射し得るよう構成されている。すなわち、前記第１のレンズ部６１は、前記透過面６７に入射した光が拡散されることなく透過して、前記設置面６３から前記第２のレンズ部７１の接続部７５の後端面に入射するよう構成されている。
【００３０】
(第２のレンズ部７１について)
前記第２のレンズ部７１は、図６、図７に示すように、遊技盤２１の盤面に沿って延在する平板状に形成されており、前記第１のレンズ部６１から前方へ突出する接続部７５を介して、パチンコ球の直径よりも大きい間隔を隔てた状態で該第１のレンズ部６１に接続される。具体的に、実施例に係る前記第２のレンズ部７１は、前記第１のレンズ部６１に対向する平板状のレンズ本体７２と、該レンズ本体７２から後方へ突出するよう形成されて前記第１のレンズ部６１に接続する接続部７５とから光透過性の合成樹脂材により一体形成されている。そして、前記第２のレンズ部７１におけるレンズ本体７２には、外周縁部に向かうにつれて遊技盤２１から離間するよう傾斜した第２傾斜部７２ａが後面側の外周部に形成されており、遊技盤２１の盤面に沿って流下するパチンコ球を、第１のレンズ部６１と第２のレンズ部７１との間に案内し得るよう構成されている。
【００３１】
前記第２のレンズ部７１のレンズ本体７２は、図７、図１０に示すように、前記第１のレンズ部６１よりも小さく形成されており、該第１のレンズ部６１に対して前後方向に部分的に重なるよう構成されている。実施例では、前記レンズ本体７２の上下の高さ寸法Ｈ１は、前記第５装着口２３ｅの上下の開口寸法Ｈ２より小さく形成されており(図１１参照)、該レンズ本体７２の上端部および下端部が第５装着口２３ｅの開口上端部および下端部よりも該第５装着口２３ｅの開口内側に臨むよう構成されている。すなわち、前記第２のレンズ部７１のレンズ本体７２は、前記遊技盤２１に形成された第５装着口２３ｅよりも小さく形成されている。なお、レンズ本体７２の左端部は、前記第１のレンズ部６１の左端部と前後に略整合するようになっている。すなわち、前記第５装着口２３ｅの内側に位置する前記ＬＥＤ１１０ａを発光させた際に、前記第１および第２のレンズ部６１,７１が前後に重なる領域および両レンズ部６１,７１が前後に重ならない領域の夫々に対して該ＬＥＤ１１０ａの光が照射されるよう構成されている。ここで、前記第２のレンズ部７１におけるレンズ本体７２の全体が第５装着口２３ｅよりも小さく形成されている必要はなく、該レンズ本体７２の一部が第５装着口２３ｅよりも小さく形成されている構成であればよい。
【００３２】
また、前記第２のレンズ部７１におけるレンズ本体７２の前面には、図６、図７に示すように、前記光拡散部としての第３光拡散部７３が形成されている。前記第３光拡散部７３は、前記レンズ本体７２の前面において略全面に設けられており、前後に緩やかに起伏する起伏状に形成されている。すなわち、前後に緩やかに起伏する第３光拡散部７３を光が透過することで、該第３光拡散部７３を透過する光が拡散されるようになっている。ここで、前記第３光拡散部７３の起伏は、前記第１のレンズ部６１に形成された第１光拡散部６２の起伏形状と同じ形態で形成されており、前記第５装着口２３ｅに臨むＬＥＤを消灯した状態において前面側からレンズ部材６０を見た際に、第１のレンズ部６１と第２のレンズ部７１(レンズ本体７２)の境界を、見分け難くしてある。また、前記レンズ本体７２の後面は、前記第２傾斜部７２ａを除く全面が平らな平滑面に形成されている。すなわち、前記第２のレンズ部７１は、前記レンズ本体７２の後面に入射した光が拡散されることなく透過すると共に、前面側の第３光拡散部７３で拡散された光が遊技盤２１の前側に照射されるよう構成されている。
【００３３】
前記接続部７５は、図７、図１０に示すように、前記第２のレンズ部７１におけるレンズ本体７２の左側縁部に、パチンコ球の直径よりも大きい寸法で後方へ突出するよう形成されている。なお、図１０中にパチンコ球を二点鎖線で表示してある。また、前記接続部７５の後端部に、後方へ突出する位置決め突部７５ａおよびネジ孔７５ｂが上下に離間する位置に夫々形成されており、前記第１のレンズ部６１の位置決め孔６３ａに位置決め突部７５ａを挿入した状態で、該第１のレンズ部６１の後方からネジ挿通孔６３ｂに挿通したネジをネジ孔７５ｂに螺挿することで、第１のレンズ部６１および第２のレンズ部７１が固定される。
【００３４】
前記接続部７５は、前記レンズ本体７２の左側縁部から内側(図８において右側)に離間する位置に上下方向へ延在するよう設けられて前記遊技盤２１の案内レール２２に沿う円弧状の接続基部７６と、該接続基部７６の上端部に連設され、前記レンズ本体７２の左側縁部に向けて延在する上側誘導部７７と、当該接続基部７６の下端部に連設され、レンズ本体７２の左側縁部に向けて延在する下側誘導部７８とから構成されている。ここで、前記上側誘導部７７は、前記レンズ本体７２の左側縁部(図８では右側)に向けて上方傾斜するよう形成されて、前記遊技盤２１の遊技領域２１ａを流下するパチンコ球を、接続基部７６側(第１のレンズ部６１と第２のレンズ部７１との間)に誘導するよう構成されている。
【００３５】
ここで、前記レンズ部材６０は、図１０に示すように、前記接続基部７６に沿った円弧の延長線方向に、前記回転案内部材２７が位置するよう構成されている。すなわち、実施例のパチンコ機１０では、前記遊技盤２１の遊技領域２１ａを流下する過程で前記接続基部７６に沿って案内されたパチンコ球は、前記回転案内部材２７に向けて移動するよう誘導されるようになっている。すなわち、実施例の接続部７５は、前記遊技領域２１ａを流下するパチンコ球を前記第１始動入賞装置３０の第１始動入賞口３０ａ側へ誘導し得るよう構成されている。
【００３６】
ここで、図１２に示すように、前記接続部７５(接続基部７６)は、前記第２のレンズ部７１を第１のレンズ部６１に取り付けた状態で、該第１のレンズ部６１の前面において遊技盤２１に開設された前記第５装着口２３ｅの開口内側に位置するよう構成されている。すなわち、前記接続部７５の接続基部７６は、後端面を前記第１のレンズ部６１の設置面６３に当接させた状態で、前記第５装着口２３ｅの開口内側に臨む前記ＬＥＤ１１０ａの光照射方向に沿うよう前後方向に延在する平板状に形成されている。従って、前記ＬＥＤ１１０ａを発光させた際に、前記第１のレンズ部６１を透過した光が前記接続部７５(接続基部７６)の後端部から第２のレンズ部７１に入射し、該接続部７５(接続基部７６)を透過した光が第２のレンズ部７１の前面から遊技盤２１の前方へ照射されるようになっている。ここで、前記第２のレンズ部７１の前面には、前記第３光拡散部７３が全面に亘って形成されていることから、接続部７５(接続基部７６)を透過した光が第３光拡散部７３により拡散されるようになっている。また、前記接続部７５(接続基部７６)を前記ＬＥＤ１１０ａの光照射方向に沿うよう前後方向に延在する平板状に形成したことで、該接続部７５(接続基部７６)における遊技領域側の界面を透過し難くなることから、前記第２のレンズ部７１の前面が接続部７５(接続基部７６)に対応する円弧状に強く光らせ得るようになっている。
【００３７】
(設置部材８１について)
前記設置部材８１は、図４、図５に示す如く、前記遊技盤２１の外郭形状と略整合する大きさおよび形状に形成された略矩形状の対向面部８２と、該対向面部８２の外周縁部から前方に突出する上下左右の画壁部８３とから前方に開口した箱状に形成されている。また、前記設置部材８１には、前記画壁部８３の開口前端部に、前後に貫通する通孔８１ｃが形成された支持片８１ｂが複数箇所に設けられており、遊技盤２１と設置部材８１とを組み付けた際に、該支持片８１ｂが遊技盤２１の裏面に平面的に当接するようになっている。そして、前記画壁部８３の開口前端部(支持片８１ｂ)を遊技盤２１の裏面に当接させた状態で、該支持片８１ｂに形成した通孔８１ｃに挿通したネジを遊技盤２１にねじ込むことで、当該遊技盤２１と設置部材８１とが固定されるようになっている。ここで、前記設置部材８１において前記遊技盤２１との間に画成される空間に、各種演出装置(図示せず)や、入賞したパチンコ球を排出案内する球排出経路部材９０等の各種遊技部品が設置されて、設置部材８１を基材とする１つのユニットとして扱い得るようになっている。また、前記設置部材８１の対向面部８２には、前記枠状装飾部材４０の表示窓口４０ａと前後に整列する位置に開口部８２ａが前後に開口するよう開設されており、該対向面部８２の裏側に配設された前記図柄表示装置１８の表示面が該開口部８２ａおよび表示窓口４０ａを介して遊技盤２１の前側に臨むようになっている。なお、以下の説明では、画壁部８３について、対向面部８２の下端縁に設けられた画壁部を、下画壁部８３ａと指称して区別する場合もある。ここで、下画壁部８３ａの前端部には、前記支持片８１ｂが左右に離間する複数箇所(実施例では２箇所)に設けられており、遊技盤２１から取り外した状態で、各支持片８１ｂの下端部を床面に支持することで、設置部材８１を起立姿勢で保持し得るようになっている。また、実施例では、前記設置部材８１における対向面部８２の前側に、前記開口部８２ａを囲繞するよう複数の演出装置が配設されている。
【００３８】
(球排出経路部材９０について)
次に、前記設置部材８１に配設された前記普通入賞装置５０に入賞したパチンコ球を排出案内する球排出経路部材９０について説明する。図５、図１３〜図１７に示すように、前記球排出経路部材９０は、前記設置部材８１の開口前端側に位置するよう該設置部材８１に配設されており、前記普通入賞装置５０の球受け通路５２に連通して入賞したパチンコ球を排出案内する球排出経路部９１を備えている。前記球排出経路部９１は、１個のパチンコ球が通過可能な通路幅で前方へ開口する樋状に形成されており、該球排出経路部９１の前側に配設された光透過性の閉塞板９２により球排出経路部９１の前方開口を塞ぐことで、パチンコ球が一列で移動可能な球通路を画成している。ここで、前記球排出経路部９１は、前記閉塞板９２が取り付けられた状態で、前記普通入賞装置５０の各球受け通路５２と前後に対応する位置で球入り口９３が前方へ開口するよう設けられており、該球入り口９３を介して各球受け通路５２が球排出経路部９１に連通するようになっている。また、前記球排出経路部９１の裏側には、前方へ光を照射するＬＥＤ１１２ａを実装した発光基板１１２が配設されており、該発光基板１１２のＬＥＤ１１２ａからの光が、球排出経路部９１および閉塞板９２を透過して前記普通入賞装置５０へ照射されるようになっている。
【００３９】
(球排出経路部９１について)
前記球排出経路部９１は、図１３、図１４に示すように、前記普通入賞装置５０の球受け通路５２に個別に連通する複数の分岐通路(個別排出通路)９５ａ〜９５ｃと、各分岐通路９５ａ〜９５ｃの下流端部に接続して各分岐通路９５ａ〜９５ｃが合流する共通通路(合流排出通路)９７とを備えて、該共通通路９７の下流端部に球排出口９９ａが形成されている。すなわち、前記普通入賞装置５０の各球受け通路５２に入賞したパチンコ球は、対応する分岐通路９５ａ〜９５ｃを介して共通通路９７に流入して、前記球排出口９９ａから排出される。ここで、実施例の共通通路９７は、前記各分岐通路９５ａ〜９５ｃの下流端部に接続すると共に左右の一側方(実施例では右側方)へ向けて下方傾斜する傾斜通路９８と、該傾斜通路９８の下流端に接続して下方へ延出すると共に前記球排出口９９ａが形成された排出通路９９とから構成されており、各分岐通路９５ａ〜９５ｃから傾斜通路９８に流入するパチンコ球が排出通路９９へ集合して球排出口９９ａから排出されるよう構成されている。前記排出通路９９の球排出口９９ａは前記中枠１２に設けられた球回収部(図示せず)の上方で開口するよう構成されており、該球排出口９９ａから排出されたパチンコ球が球回収部を介してパチンコ機の外部(遊技店側の球循環設備)へ回収するようになっている。
【００４０】
前記複数の分岐通路９５ａ〜９５ｃは、共通通路９７(傾斜通路９８)の上流端から上方へ分岐する第１分岐通路９５ａと、該共通通路９７(傾斜通路９８)の中間位置から上方へ分岐する第２分岐通路９５ｂと、当該共通通路９７(傾斜通路９８)の下流端から上方へ分岐する第３分岐通路９５ｃとが設けられて、これら第１〜第３分岐通路９５ａ〜９５ｃの球入り口９３が、前記普通入賞装置５０に設けられた３つの球受け通路５２の夫々に連通するようになっている。なお、前記第３分岐通路９５ｃは、前記排出通路９９の鉛直上方に位置しており、第３分岐通路９５ｃを通過したパチンコ球が排出通路９９へ直接流入するようになっている。
【００４１】
また、前記第１分岐通路９５ａおよび第２分岐通路９５ｂには、図１４に示すように、前記共通通路９７との分岐部位より上方に、各分岐通路９５ａ,９５ｂを通過するパチンコ球を検出する球検出センサ１０３を着脱可能な検査用球検出センサ取付部９６が設けられている。すなわち、前記第１分岐通路９５ａおよび第２分岐通路９５ｂに取り付けられた球検出センサ１０３がパチンコ球を検出することで、前記普通入賞装置５０における対応する普通入賞口５３に入賞したパチンコ球を個別に検出し得るようになっている。なお、前記検査用球検出センサ取付部９６は、前記閉塞板９２を取り付けた状態で、前方へ開口するよう形成されており、球排出経路部材９０の前側から球検出センサ１０３を着脱し得るようになっている。ここで、前記検査用球検出センサ取付部９６は、パチンコ機１０の製造過程等において、前記普通入賞装置５０の各普通入賞口５３に対して入賞するパチンコ球の数を個別に検出する必要がある場合に球検出センサ１０３を取り付け得るようになっており、通常の遊技が行われる際には、該検査用球検出センサ取付部９６から球検出センサ１０３が取り外された状態で遊技に供されるようになっている。
【００４２】
図１４に示すように、前記共通通路９７の排出通路９９には、該排出通路９９を通過するパチンコ球を検出する球検出センサ１０３を着脱可能な排出球検出センサ取付部(収容部)１００が設けられている。ここで、前記球検出センサ１０３は、矩形状に形成された本体部１０３ａの一方側に偏った位置(図１４では前側)に、上下に開口してパチンコ球が通過可能な球通過部１０３ｂが設けられると共に、他方側に偏った位置に、球通過部１０３ｂを通過したパチンコ球を検出して検出信号を出力する検出機構部１０３ｃが設けられており、該検出機構部１０３ｃから導出した配線が前記制御装置に接続されるようになっている。ここで、実施例の球検出センサ１０３は、前記検出機構部１０３ｃを構成する検出片(図示せず)が球通過部１０３ｂの開口内側に突出するよう構成されて、該球通過部１０３ｂを通過するパチンコ球が検出片に接触することでパチンコ球を検出する機械式センサを採用しているが、非接触型の近接センサを採用することも可能である。
【００４３】
前記排出球検出センサ取付部１００は、前方へ開口するよう前記球排出経路部材９０に形成されており、前記球検出センサ１０３の本体部１０３ａを、前記検出機構部１０３ｃを後方に向けると共に球通過部１０３ｂを上下に開口する姿勢で、該排出球検出センサ取付部１００の前方開口を介して前側から挿入することで収容保持されるようになっている。そして、排出球検出センサ取付部１００に収容した球検出センサ１０３の前端部に前記閉塞板９２が当接して、該排出球検出センサ取付部１００からの球検出センサ１０３の脱落を防止すると共に、遊技盤２１の裏面に球検出センサ１０３が接触するのを防止している。すなわち、実施例のパチンコ機１０では、遊技に供される状態において、第１〜第３分岐通路９５ａ〜９５ｃが合流する共通通路９７の下流端に位置する排出通路９９の排出球検出センサ取付部１００のみに球検出センサ１０３が取り付けられて、各普通入賞口５３に対して入賞するパチンコ球を１つの球検出センサ１０３で検出するようになっている。
【００４４】
また、前記設置部材８１の下画壁部８３ａには、図１６に示すように、前記球排出経路部材９０における前記排出通路９９の形成位置に対応する位置に、前方および上下に開口する退避部８４ａ,８４ｂが形成されており、該球排出経路部材９０を設置部材８１に取り付けた状態で、該排出通路９９が退避部８４ａ,８４ｂを介して下画壁部８３ａより下方位置に突出するよう構成されている。ここで、前記退避部は、前記傾斜通路９８の前後幅より大きな前後の開口幅に形成された第１退避部８４ａと、該第１退避部８４ａの右側部に連接すると共に前記排出通路９９に設けられた前記排出球検出センサ取付部１００の前後幅よりも大きな前後の開口幅に形成された第２退避部８４ｂとから構成されている。そして、前記球排出経路部材９０を設置部材８１に取り付けた状態で、前記第１退避部８４ａを介して前記傾斜通路９８を画成する下壁部９８ａにおける下流端部側が下画壁部８３ａより下方に位置すると共に、前記第２退避部８４ｂを介して前記排出球検出センサ取付部１００の全体が下画壁部８３ａより下方に位置するようになっている。このとき、前記設置部材８１における下画壁部８３ａの前端部から下方へ延出する前記支持片８１ｂは、該下画壁部８３ａより下方へ突出する前記排出球検出センサ取付部１００の配設位置よりも下方まで延在するよう形成されており、遊技盤２１から取り外した設置部材８１を単独で起立姿勢に保持した際に、排出球検出センサ取付部１００が床面に直接接触しないよう構成されている。なお、前記球排出経路部材９０には、前記球排出経路部９１の上側に隣接して、磁気を利用した不正を検出する磁気センサ１０８が設置される磁気センサ取付部１０４が形成されている。
【００４５】
(基板支持部１０５について)
また、図１３〜図１５に示すように、前記球排出経路部材９０には、前記球排出経路部９１の左側に、前方へ光を照射する発光基板１１０が取り付けられる平板状の基板支持部１０５が設けられている。前記基板支持部１０５は、前記球排出経路部９１と前記設置部材８１の左側の画壁部８３との間に位置すると共に、前記遊技盤２１の裏面に沿って延在する平板状に形成されており、遊技盤２１と設置部材８１とを取り付けた際に、当該基板支持部１０５の前面が遊技盤２１の裏面に近接して対向するようになっている。具体的に、実施例では、前記遊技盤２１における第５装着口２３ｅの形成位置の裏側に対応する位置まで基板支持部１０５が延在するよう構成されて、該第５装着口２３ｅの後方開口を基板支持部１０５で塞ぐよう構成されている。
【００４６】
前記基板支持部１０５には、図１５に示すように、後方へ開口する設置凹部１０６が複数箇所(実施例では２箇所)に形成されており、各設置凹部１０６に対して前記発光基板１１０が夫々配設されている。ここで、実施例の基板支持部１０５には、前記第５装着口２３ｅに対応する位置および前記普通入賞装置５０に設けられた装飾飾り部５４に対応する位置の夫々に前記設置凹部１０６が形成されている。すなわち、実施例において、前記第５装着口２３ｅに対応する設置凹部１０６に配設される上部発光基板１１０が、前記レンズ部材６０を照明する発光手段として機能するようになっている。そして、前記普通入賞装置５０に設けられた装飾飾り部５４に対応する設置凹部１０６に配設される下部発光基板１１１が、該装飾飾り部５４を照明する発光手段として機能するようになっている。また、前記第５装着口２３ｅに対応する位置に形成された設置凹部１０６には、前記上部発光基板１１０に実装されたＬＥＤ１１０ａと対応する位置に、前後に貫通する通孔１０５ａが夫々形成されており、各通孔１０５ａを介してＬＥＤ１１０ａが前記レンズ部材６０(第１のレンズ部６１)に対向して、該ＬＥＤ１１０ａの光が直接第１のレンズ部６１に照射されるようになっている。
【００４７】
また、前記設置凹部１０６に発光基板１１０を取り付けた状態で、前記基板支持部１０５の後面と発光基板１１０の後面とが略同一平面上に位置するようになっており(図１１、図１２参照)、前記設置部材８１における対向面部８２の左側前面に配設された演出装置に発光基板１１０が干渉しないよう構成されている。なお、前記基板支持部１０５には、前記第５装着口２３ｅに対応する位置に形成された設置凹部１０６の右側に隣接して、磁気を利用した不正を検出する磁気センサ１０８が設置される磁気センサ取付部１０７が形成されている。
【００４８】
(実施例の作用)
次に、実施例に係るパチンコ機１０の作用につき説明する。
【００４９】
前記中枠１２の前面側に設けられた操作ハンドル１７を遊技者が回転操作すると、前記打球発射装置１６により発射されたパチンコ球が前記遊技盤２１に設けた案内レール２２により画成された遊技領域２１ａ内に打ち出されて、遊技釘２６等に接触して流下方向を変更しながら遊技領域２１ａ内を流下する。そして、前記遊技領域２１ａを流下するパチンコ球が前記第１始動入賞装置３０の第１始動入賞口３０ａまたは第２始動入賞装置３２の第２始動入賞口３２ａに入賞することで、前記図柄表示装置１８での図柄変動演出が開始され、図柄変動演出の結果、図柄表示装置１８に所定の図柄組み合わせで演出図柄が表示されると大当りが発生し、大当りの発生に伴い、前記遊技盤２１の下方に設けられた特別入賞装置３５が開放されると共に、図柄表示装置１８において大当り演出が行われる。また、実施例に係るパチンコ機１０では、前記図柄表示装置１８において行われる図柄変動演出や大当り演出等の各種演出に合わせて、前記発光基板１１０〜１１２のＬＥＤ１１０ａ〜１１２ａを適宜のパターンで点灯および消灯させることで、遊技盤２１の盤面を全体的に装飾して遊技の興趣を高めるようになっている。
【００５０】
前記球排出経路部材９０の基板支持部１０５に配設された上部発光基板１１０のＬＥＤ１１０ａからの光は、盤面に設けられたレンズ部材６０を透過して遊技盤２１の前方へ照射される。ここで、前記レンズ部材６０は、第１のレンズ部６１および第２のレンズ部７１を前後に重なるように設けられており、前記ＬＥＤ１１０ａの光が両レンズ部６１,７１を透過し得るよう構成してあるから、１つのレンズ部を光が透過する構成に較べて、発光による装飾効果や演出効果の向上を図り得る。また、前記レンズ部材６０は、第１のレンズ部６１および第２のレンズ部７１を単に前後に重ねただけでなく、該第１のレンズ部６１よりも第２のレンズ部７１を小さく形成して、正面側から見た状態で、両レンズ部６１,７１が前後に重なる領域および両レンズ部６１,７１が前後に重ならない領域を設定したことにより、レンズ部材６０に対してＬＥＤ１１０ａの光を照射した際に、第１のレンズ部６１だけを透過して遊技盤２１の前方へ照射される光と、第１および第２のレンズ部６１,７１を透過して遊技盤２１の前方へ照射される光とにより、光の照射位置により発光の態様が異なるように見せることができ、装飾効果や演出効果をより一層高めることができる。
【００５１】
また、前記第１のレンズ部６１および第２のレンズ部７１は、パチンコ球の直径よりも大きな間隔で離間するよう構成されているから、遊技領域２１ａを流下するパチンコ球が両レンズ部６１,７１の間を通過することができ、レンズ部材６０を遊技盤２１に配設したとしてもパチンコ球の流路が制限されることなく、パチンコ球の動きによる演出を行うことができる。しかも、第１および第２のレンズ部６１,７１の間をパチンコ球が通過し得るよう構成することで、前記ＬＥＤ１１０ａから照射されて第１および第２のレンズ部６１,７１が前後に重なる領域を透過する光がパチンコ球によりランダムに遮られることで、より複雑な発光態様による装飾を実現することができる。また、第１のレンズ部６１および第２のレンズ部７１の間を通過するパチンコ球は、該第２のレンズ部７１を介して透視することができるから、パチンコ球の動きを確認しながら遊技を行うことができ、パチンコ球の動きによる面白みを与えることができる。
【００５２】
また、前記レンズ部材６０は、第１のレンズ部６１に設けられる光拡散部６２,６６と、第２のレンズ部７１に設けられる光拡散部７３とを異なった形態となるよう構成されているから、該第１および第２のレンズ部６１,７１が前後に重なる領域と、両レンズ部６１,７１が前後に重ならない領域とにおいて、一層異なった発光態様にすることができる。ここで、前記第１のレンズ部６１の前面に形成される第１光拡散部６２を、前後に緩やかに起伏する起伏状に形成する一方で、該第１のレンズ部６１の後面に形成される第２光拡散部６６を、前後に緩やかに起伏する起伏状とすると共に該起伏に伴う凹状部分よりも深い複数の溝部６６ａを形成してあるから、当該第１のレンズ部６１のみを透過する光を効果的に拡散することができる。このように、第１のレンズ部６１においてパチンコ球が接触しない後面に光の拡散効果の高い第２光拡散部６６を形成することで、該第１のレンズ部６１の前面を通過するパチンコ球に対して影響を与えるのを避けつつ、光の光拡散効果を向上することができる。そして、第１のレンズ部６１の前後両面に形成される光拡散部６２,６６の形態を変えることで、第１のレンズ部６１での光の拡散作用を高めることができ、装飾効果や演出効果の向上を図り得る。
【００５３】
また、前記第２のレンズ部７１は、後面側を平滑面としたことで、第２のレンズ部７１の後面を通過するパチンコ球に対して光拡散部が影響を与えるのを防止できる。更に、前記第２のレンズ部７１の前面に形成される第３光拡散部７３を、前記第１のレンズ部６１の前面に形成される第１光拡散部６２と同様の形態に形成することで、レンズ部材６０を前側から観察する遊技者に見える第１のレンズ部６１と第２のレンズ部７１との境界を分かり難くすることができる。すなわち、同様の外観であるにも関わらず、第１光拡散部６２を透過して直接遊技者に観察される光と、第１光拡散部６２および第３光拡散部７３を透過して直接遊技者に観察される光との装飾効果が異なることで、発光態様に対する面白みを増すことができる。
【００５４】
更に、前記レンズ部材６０は、前記第１のレンズ部６１に対して第２のレンズ部７１を接続する接続部７５を、前記第５装着口２３ｅの開口内側に臨ませて、前記上部発光基板１１０のＬＥＤ１１０ａの光が接続部７５に入射し得るよう構成してあるから、両レンズ部６１,７１が前後に重なる領域を透過する光と、両レンズ部６１,７１が前後に重ならない領域を透過する光の他に、該接続部７５を透過する光によって異なる発光態様を実現することができる。このように、ＬＥＤ１１０ａの光が第１のレンズ部６１、接続部７５および第２のレンズ部７１(レンズ本体７２)を透過し得るようにしたことで、１つの照明手段としてのレンズ部材６０により複雑な発光態様を実現できる。また、前記ＬＥＤ１１０ａの光の照射方向に沿って前後方向に延在する板状に接続部７５を形成したことで、該接続部７５に入射した光を効率的に第２のレンズ部７１のレンズ本体７２まで導くことができる。このため、レンズ部材６０において、前記接続部７５に対応した部位を、他の部位と比べてより明瞭に発光させることが可能となり、当該接続部７５の形状に沿った線状に発光させることが可能となる。
【００５５】
更に、円弧状の接続基部７６と、上下の誘導部７７,７８とから前記接続部７５を構成したことで、前記第１のレンズ部６１と第２のレンズ部７１の間を通過するパチンコ球の流下方向を接続部７５で誘導し得る。そして、レンズ部材６０の設置に伴い遊技釘２６の設置スペースが限られるようになっても、当該レンズ部材６０における接続部７５でパチンコ球を誘導することにより、パチンコ球の動きが単調化するのを防止できる。また、前記第１始動入賞口３０ａに案内する案内連釘２６Ａ(回転案内部材２７)側へ前記接続部７５によりパチンコ球が誘導されるようにしたことで、該レンズ部材６０を通過するパチンコ球に対する関心を高めることができる。また、第１のレンズ部６１および第２のレンズ部７１の間を通過するパチンコ球は、該第２のレンズ部７１を介して透視することができるから、パチンコ球の動きを確認しながら遊技を行うことができ、パチンコ球の動きによる面白みを与えることができる。
【００５６】
ところで、前記上部発光基板１１０が取り付けられる前記球排出経路部材９０には、遊技盤２１に設けられた普通入賞装置５０の普通入賞口５３に入賞したパチンコ球を排出案内する球排出経路部９１が設けられている。この球排出経路部９１は、普通入賞装置５０の各普通入賞口５３に対応した第１〜第３分岐通路９５ａ〜９５ｃと、該分岐通路９５ａ〜９５ｃの夫々が接続する共通通路９７とから構成したことで、該球排出経路部９１をコンパクトにすることができる。更に、前記共通通路９７を傾斜通路９８と排出通路９９とから構成すると共に、該排出通路９９を設置部材８１の下画壁部８３ａに形成した退避部８４(第２退避部８４ｂ)を介して当該下画壁部８３ａより下方へ突出して位置するよう構成したことで、球排出経路部９１を遊技盤２１に対して下方側に寄せて配置することができる。
【００５７】
これにより、前記遊技盤２１に配設される普通入賞装置５０の普通入賞口５３も、該遊技盤２１に対して下方側に寄せて配置することが可能となり、遊技盤２１の盤面構成の自由度を高め得る。すなわち、普通入賞装置５０を下方に配置することで、遊技盤２１においてパチンコ球が流下可能な遊技領域２１ａを実質的に拡大し得るから、そのスペースを利用して図柄表示装置１８(枠状装飾体４０)の大型化を図ったり、別の遊技部品を設置することが可能となる。また、遊技盤２１に配設される第１始動入賞装置３０や特別入賞装置３５等の配置位置の自由度も向上する。更に、前記球排出経路部９１を下方に配置することで、設置部材８１における遊技部品の設置スペースも実質的に拡大し得るから、そのスペースを利用して設置部材８１に配設される演出装置等の遊技部品の大型化を図ったり、別の遊技部品を更に設置することが可能となる。このように、設置部材８１における下画壁部８３ａの下方に排出通路９９(排出球検出センサ取付部１００(球検出センサ１０３))を位置させることで、遊技盤２１の盤面構成の自由度が向上し、多様な盤面構成を実現し得る。
【００５８】
また、前記共通通路９７の傾斜通路９８は、複数の普通入賞口５３において最も下方に位置する普通入賞口５３側に向けて緩やかに下方傾斜するよう形成したことで、各分岐通路９５ａ〜９５ｃの上下の延在寸法を必要最小限にすることができる。更に、前記設置部材８１の下画壁部８３ａに形成された退避部８４(第１退避部８４ａ)を介して、前記傾斜通路９８の傾斜下端側が下画壁部８３ａより下方に位置するよう構成したことにより、排出経路部９１を遊技盤２１に対してより一層下方側に寄せて配置することができるから、遊技盤２１の盤面構成の自由度が向上し、多様な盤面構成を図ることができる。
【００５９】
また、前記下画壁部８３ａの前端部に形成された支持片８１ｂを、該下画壁部８３ａより下方に位置する排出通路９９の下端部(排出球検出センサ取付部１００)よりも下方へ延出するよう形成してあるから、パチンコ機１０の製造や修理の過程において遊技盤２１から設置部材８１を取り外した状態で、支持片８１ｂを床面に当接させて縦置きの姿勢で保管することが可能となる。すなわち、設置部材８１を縦置きの姿勢で保管した際に、排出通路９９(排出球検出センサ取付部１００)が直接床面に接地しないから、当該排出通路９９(排出球検出センサ取付部１００)の破損を防止できる。また、設置部材８１を縦置きの姿勢で保管し得ることにより、該設置部材８１の前面や背面に図柄表示装置１８や演出装置等の各種遊技部品を取り付けたまま作業することができ、作業効率の向上を図り得ると共に、排出通路９９(排出球検出センサ取付部１００)を床面に接地しないよう設置部材８１を保持する治具を用意する必要がない。
【００６０】
更に、前記排出球検出センサ取付部１００を前方へ開口する凹状に形成して、該排出球検出センサ取付部１００に球検出センサ１０３を収容するよう構成したことで、該球検出センサ１０３が直接外部に露出するのを防止できる。このため、前記設置部材８１の外側に位置する球検出センサ１０３に異物が接触して損傷するのを効果的に防止できる。
【００６１】
(変更例)
なお、遊技機の構成としては、前述した実施例に示したものに限らず、種々の変更が可能である。以下にその一例を示す。
【００６２】
(１)  実施例では、レンズ部材に光を照射する発光手段(発光体)を、球排出経路部材に取り付けるようにしたが、これに限られるものではなく、遊技盤に開設される開口部(装着口)に臨んでレンズ部材に光を照射し得るよう配設する構成であればよい。また、遊技盤に開設される開口部(装着口)の形状や開設位置に関しても、実施例にものに限られず、遊技盤の任意位置に適宜の形状で形成することができる。
(２)  実施例のレンズ部材には、第１のレンズ部の前後両面に光拡散部を形成するよう構成したが、前面および後面の何れか片面のみに光拡散部を設ける構成であってもよい。また、第２のレンズ部の前面に光拡散部を形成するよう構成したが、これに限られるものではなく、前後の両面または後面のみに光拡散部を設ける構成とすることもできる。
(３)  実施例では、第１のレンズ部の前面に設けられる第１光拡散部を、後面に設けられる第２光拡散部よりも緩やかな起伏形状に形成したが、該第２光拡散部をより緩やかな起伏形状とすることもできる。また、第１のレンズ部における光拡散部の形態は、実施例に示したものに限られるものではなく、シボ加工やダイヤモンドカット等の光拡散処理を施すようにしてもよく、また光拡散シート等の光拡散機能を有する部材を別途取り付けるようにしてもよい。
(４)  また、第１のレンズ部の前後両面の光拡散部の形態を異ならせたが、同じ形態で光拡散部を設けることもできる。
(５)  実施例では、第１のレンズ部および第２のレンズ部を接続する接続部を第２のレンズ部に設けるよう構成したが、第１のレンズ部に接続部を設けるようにすることもでき、また接続部を別部材とすることもできる。
(６)  実施例では、接続部を円弧状の接続基部と、上下の端部に連接する上下の誘導部から構成したが、これに限られるものではなく、任意の形状とすることができる。
(７)  実施例では、球排出経路部材に形成される球排出経路部の構成としては、実施例に示したものに限られず、入賞口毎に対応した個別排出通路(分岐通路)を備えると共に各個別排出通路が合流する合流排出通路(共通通路)を備えた構成とすることで、該球排出経路部をコンパクトにすることが可能となる。
(８)  実施例では、前方へ開口する収容部(排出球検出センサ取付部)に対して球検出センサを取り付けるよう構成したが、収容部を後方や側方、或いは下方へ開口するよう形成して、該収容部の開口方向から球検出センサを取り付けるようにしてもよい。
(９)  実施例では、球検出センサの全体を収容部に収容して保護するよう構成したが、必ずしも全体を収容する必要はなく、合流排出通路を通過する遊技球を検出し得るよう配設されていれば、従来公知の任意の構成を採用し得る。
(１０)  実施例では、設置部材の下画壁部の前端部に支持片を設けるようにしたが、これに限られるものではなく、下画壁部の前後の全長に亘って下方へ突出する支持片を形成するようにしてもよい。すなわち、下画壁部に対して適宜の位置および形状で支持片を形成して、球検出センサの配設位置より下方まで延在させるようにすれば、該球検出センサの損傷を防ぐことが可能となる。
(１１)  実施例では、遊技機としてパチンコ機を例示して説明したが、これに限られるものではなく、アレンジボール機やピンボール機、スロットマシン機等の各種遊技機を採用し得る。
【符号の説明】
【００６５】
１８  図柄表示装置(演出実行手段)
２１  遊技盤
２１ａ  遊技領域
２３ｅ  第５装着口(開口部)
３０ａ  始動入賞口
６０  レンズ部材(照明手段)
１１０ａ  ＬＥＤ(照明手段、発光体)
６１  第１のレンズ部
６２  第１光拡散部(光拡散部)
６６  第２光拡散部(光拡散部)
７１  第２のレンズ部
７３  第３光拡散部(光拡散部)
７５  接続部
【図１】
0005918060.tif 000002
【図２】
0005918060.tif 000003
【図３】
0005918060.tif 000004
【図４】
0005918060.tif 000005
【図５】
0005918060.tif 000006
【図６】
0005918060.tif 000007
【図７】
0005918060.tif 000008
【図８】
0005918060.tif 000009
【図９】
0005918060.tif 000010
【図１０】
0005918060.tif 000011
【図１１】
0005918060.tif 000012
【図１２】
0005918060.tif 000013
【図１３】
0005918060.tif 000014
【図１４】
0005918060.tif 000015
【図１５】
0005918060.tif 000016
【図１６】
0005918060.tif 000017
【図１７】
0005918060.tif 000018